(57)【要約】その後でレビューするために、コンテンツの再現を可能にするための方法、機器およびシステムは、携帯通信装置に近接して表示されるコンテンツにおける関心対象の指示をコンテンツプロバイダーに伝達するステップであって、携帯通信装置の通信情報は、伝達された関心対象の指示中の情報を使用して決定される、ステップと、伝達された関心対象の指示に応答して、関心対象のコンテンツ、関心対象のコンテンツのコンテンツデータおよび関心対象のコンテンツのロケーション情報の少なくとも１つを受け取るステップと、関心対象のコンテンツ、関心対象のコンテンツのコンテンツデータおよび関心対象のコンテンツのロケーション情報の少なくとも１つを携帯通信装置中に格納するステップと、を含む。
2015505176.tif 000002
【特許請求の範囲】
【請求項１】
携帯通信装置に近接して表示されるコンテンツにおける関心対象の指示をコンテンツプロバイダーに伝達するステップであって、前記携帯通信装置の通信情報は、前記伝達された関心対象の指示中の情報を使用して決定される、ステップと、
前記伝達された興味対象の指示に応答して、前記関心対象のコンテンツ、前記関心対象のコンテンツのコンテンツデータおよび前記関心対象のコンテンツのロケーション情報の少なくとも１つを受け取るステップと、
前記関心対象のコンテンツ、前記関心対象のコンテンツのコンテンツデータおよび前記関心対象のコンテンツのロケーション情報の前記少なくとも１つを前記携帯通信装置中に格納するステップと、
を含む、方法。
【請求項２】
前記携帯通信装置を使用して、コンテンツにおける関心対象の指示としてクイックレスポンスコードを走査するステップを含む、請求項１に記載の方法。
【請求項３】
前記携帯通信装置によって走査された前記クイックレスポンスコードを前記コンテンツプロバイダーに伝達するステップを含む、請求項２に記載の方法。
【請求項４】
前記関心対象のコンテンツのユニフォームリソースロケータを前記携帯通信装置のキャッシュ中に格納するステップを含む、請求項１に記載の方法。
【請求項５】
近距離無線通信を使用して、前記コンテンツにおける関心対象を指示するステップを含む、請求項１に記載の方法。
【請求項６】
前記携帯通信装置の近距離無線通信の能力および機能性を使用して、前記携帯通信装置の通信情報を決定する、請求項５に記載の方法。
【請求項７】
前記携帯通信装置のメディアアクセス制御アドレスを、前記携帯通信装置に近接して提示されるコンテンツにおける関心対象の指示として前記コンテンツプロバイダーに提供するステップを含む、請求項１に記載の方法。
【請求項８】
前記携帯通信装置のロケーションを追跡して、前記携帯通信装置が晒されるコンテンツを決定する、請求項１に記載の方法。
【請求項９】
前記携帯通信装置の機能性を使用して、前記携帯通信装置に接近して提示される関心対象のコンテンツを識別するステップを含む、請求項１に記載の方法。
【請求項１０】
前記格納された関心対象のコンテンツ、前記関心対象のコンテンツの前記コンテンツデータおよび前記関心対象のコンテンツの前記格納されたロケーション情報の少なくとも１つを使用して、前記関心対象のコンテンツのもとの提示時間よりも後の時間で、前記関心対象のコンテンツをレビューするステップを含む、請求項１に記載の方法。
【請求項１１】
前記格納された関心対象のコンテンツ、前記関心対象のコンテンツのコンテンツデータおよび前記関心対象のコンテンツの前記格納されたロケーション情報の少なくとも１つを使用して、前記関心対象のコンテンツのもとの提示時間よりも後の時間で、前記携帯通信装置上に前記関心対象のコンテンツを再生するステップを含む、請求項１に記載の方法。
【請求項１２】
前記携帯通信装置がどのようなコンテンツに晒されるかに関する情報をリストの形で配列するステップを含む、請求項１に記載の方法。
【請求項１３】
前記携帯通信装置上に前記リストをドロップダウンメニューとして提示するステップを含む、請求項１２に記載の方法。
【請求項１４】
前記ドロップダウンメニューを使用して、前記携帯通信装置中に、どのコンテンツを前記携帯通信装置中に格納するのか、どのコンテンツについてコンテンツデータを格納するのか、およびどのコンテンツについてロケーション情報を格納するのかの少なくとも１つを選択することを可能にするステップを含む、請求項１３に記載の方法。
【請求項１５】
前記携帯通信装置に対して、それぞれのディスプレイ上に再生されているコンテンツおよび前記それぞれのディスプレイのロケーションを識別するネットワークビーコンを受け取るステップを含む、請求項１に記載の方法。
【請求項１６】
前記携帯通信装置は、どのようなコンテンツに晒されたかを、前記ネットワークビーコンを使用して示す、請求項１５に記載の方法。
【請求項１７】
プログラムルーチンおよびデータを格納するためのメモリーと、
前記プログラムルーチンを実行するためのプロセッサーと、
コンテンツおよびコンテンツデータの少なくとも１つを表示するためのディスプレイと、
を含む、機器であって、前記機器は、
携帯通信装置に近接して表示されるコンテンツにおける関心対象の指示をコンテンツプロバイダーに伝達し、前記携帯通信装置の通信情報は前記伝達された関心対象の指示中の情報を使用して決定され、
前記伝達された関心対象の指示に応答して、前記関心対象のコンテンツ、前記関心対象のコンテンツのコンテンツデータおよび前記関心対象のコンテンツのロケーション情報の少なくとも１つを受け取り、
前記関心対象のコンテンツ、前記関心対象のコンテンツのコンテンツデータおよび前記関心対象のコンテンツのロケーション情報の前記少なくとも１つを前記携帯通信装置中に格納する、
ように構成された、前記機器。
【請求項１８】
前記機器は、前記格納された関心対象のコンテンツ、前記関心対象のコンテンツのコンテンツデータおよび前記関心対象のコンテンツの前記格納されたロケーション情報の少なくとも１つを使用して、前記関心対象のコンテンツのもとの提示時間よりも後の時間で、前記関心対象のココンテンツに関する情報をレビューするようにさらに構成された、請求項１７に記載の機器。
【請求項１９】
前記機器は、携帯通信装置を含む、請求項１７に記載の機器。
【請求項２０】
前記携帯通信装置は、携帯電話を含む、請求項１９に記載の機器。
【請求項２１】
その後でレビューするために、コンテンツの再現を可能にするためのシステムであって、
メディアコンテンツを提供するための少なくとも１つのコンテンツプロバイダーと、
プログラムルーチンおよびデータを格納するためのメモリー、前記プログラムルーチンを実行するためのプロセッサーならびにコンテンツおよびコンテンツデータの少なくとも１つを表示するためのディスプレイを含む機器と、
を含み、
前記機器は、
携帯通信装置に近接して表示されるコンテンツにおける関心対象の指示をコンテンツプロバイダーに伝達し、前記携帯通信装置の通信情報は前記伝達された関心対象の指示中の情報を使用して決定され、
前記伝達されたコンテンツにおける関心対象の指示に応答して、前記関心対象のコンテンツ、前記関心対象のコンテンツのコンテンツデータおよび前記関心対象のコンテンツのロケーション情報の少なくとも１つを受け取り、
前記関心対象のコンテンツ、前記関心対象のコンテンツのコンテンツデータおよび前記関心対象のコンテンツのロケーション情報の前記少なくとも１つを前記携帯通信装置中に格納する、
ように構成された、前記システム。
【請求項２２】
前記少なくとも１つのコンテンツプロバイダーは、コンテンツサーバーを含む、請求項２１に記載のシステム。
【発明の詳細な説明】
【技術分野】
【０００１】
本発明は、一般に、広告用コンテンツなどのコンテンツの提示に関し、より具体的には、その後のレビューのために、コンテンツの再現を可能にするための方法、機器およびシステムに関する。
【背景技術】
【０００２】
関連出願の相互参照
本出願は、２０１１年１１年３０日に出願された米国仮特許出願第６１／５６５，１３４号の出願日の利益を主張するものであり、これを、参照によってそのすべてをすべての目的のために本明細書に援用する。
【０００３】
消費者は、そのような消費者が提示されている情報を吸収する時間がほとんどない期間に、ビデオスクリーン上の製品情報にしばしば晒される。たとえば、小売りの広告が行われている環境では、新製品に関するビデオ広告が店内のスクリーン上で再生されていることがある。買い物客は、その製品についてもっと多くを知りたいと興味を持つことがあるかもしれないが、かれらは急いでいる。問題は、製品メッセージが速く動いていることである。消費者が容易に再現することができるような、広告中の情報を格納する何らかの手段がないと、消費者は広告で見た製品についてぼんやりした記憶を持ち続けるだけである。実際、後のレビューのために、製品情報をキュー内に格納するために手段が利用できる状況下でさえも、消費者はすべての格納された広告から特定の広告を再現する機能をやはり欠いている場合がある。
【発明の概要】
【発明が解決しようとする課題】
【０００４】
現在、「インスタペーパー（Instapaper）」と呼ばれる製品があり、それは、モバイルインターネットまたはインターネットのユーザーが、関心対称の記事を見て、もっと都合の良いときに、または念入りに読むのにもっと適した読み出し装置を使用して後で読むために、それにマークを付ける手段を提供する。しかし、それは、ユーザーがメディア消費をその上で制御するスクリーン上でだけ働く（たとえばＰＣまたは携帯通信装置）。そのようなアプリケーションでは、スクリーン上で見えるものにタグ付けして、その資料を後でレビューすることができるようにする方法がない。
【課題を解決するための手段】
【０００５】
本発明の実施形態は、その後のレビューのために、関心対象のコンテンツの再現を可能にするための方法、機器およびシステムを提供することによって、先行技術の欠陥に対処するものである。
【０００６】
本発明の一実施形態では、方法は、携帯通信装置に接近して表示されるコンテンツにおける関心対象の指示をコンテンツプロバイダーに伝達するステップであって、携帯通信装置の通信情報が、伝達された関心対象の指示中の情報を使用して決定される、ステップと、伝達された関心対象の指示に応答して、関心対象のコンテンツ、関心対象のコンテンツのコンテンツデータおよび関心対象のコンテンツのロケーション情報の少なくとも１つを受け取るステップと、関心対象のコンテンツ、関心対象のコンテンツのコンテンツデータおよび関心対象のコンテンツのロケーション情報の少なくとも１つを携帯通信装置中に格納するステップと、を含む。
【０００７】
本発明の代替的実施形態では、機器は、プログラムルーチンおよびデータを格納するためのメモリーと、プログラムルーチンを実行するためのプロセッサーと、コンテンツおよびコンテンツデータの少なくとも１つを表示するためのディスプレイと、を含む。本発明の述べる実施形態では、機器は、携帯通信装置に接近して表示されるコンテンツにおける関心対象の指示をコンテンツプロバイダーに伝達し、携帯通信装置の通信情報は伝達された関心対象の指示中の情報を使用して決定され、伝達された関心対象の指示に応答して、関心対象のコンテンツ、関心対象のコンテンツのコンテンツデータおよび関心対象のコンテンツのロケーション情報の少なくとも１つを受け取り、関心対象のコンテンツ、関心対象のコンテンツのコンテンツデータおよび関心対象のコンテンツのロケーション情報の少なくとも１つを携帯通信装置中に格納する、ように構成される。
【０００８】
本発明の代替的実施形態では、その後のレビューのために、コンテンツの再現を可能にするためのシステムは、メディアコンテンツを提供するための少なくとも１つのコンテンツプロバイダーと、プログラムルーチンおよびデータを格納するためのメモリー、プログラムルーチンを実行するためのプロセッサーならびにコンテンツおよびコンテンツデータの少なくとも１つを表示するためのディスプレイを含む機器と、を含む。述べる実施形態では、機器は、携帯通信装置に接近して表示されるコンテンツにおける関心対象の指示をコンテンツプロバイダーに伝達し、携帯通信装置の通信情報は伝達された関心対象の指示中の情報を使用して決定され、伝達された関心対象の指示に応答して、関心対象のコンテンツ、関心対象のコンテンツのコンテンツデータおよび関心対象のコンテンツのロケーション情報の少なくとも１つを受け取り、関心対象のコンテンツ、関心対象のコンテンツのコンテンツデータおよび関心対象のコンテンツのロケーション情報の少なくとも１つを携帯通信装置中に格納するように構成される。
【図面の簡単な説明】
【０００９】
本発明の教示は、以下の発明を実施するための形態を添付図面とともに検討すると、容易に理解することができる。
【図１】本発明の実施形態を適用することができるコンテンツ配布システムのハイレベルのブロック図である。
【図２】本発明の実施形態を適用することができる、店内で広告するための店内広告用ネットワークのハイレベルのブロック図である。
【図３】本発明の実施形態による、本明細書に述べる本発明の様々な述べる発明性の特徴を実施することが可能な携帯通信装置のハイレベルのブロック図である。
【図４】本発明の実施形態による、消費者がその後のレビューのために容易に再現して、関心対象のコンテンツを格納するための方法のフローチャートである。
【発明を実施するための形態】
【００１０】
図面は、本発明の概念を例示する目的のためのものであり、必ずしも本発明を例示するための唯一の可能な構成でないことを理解すべきである。理解を容易にするために、同一の参照番号は、可能な場合、図に共通な同一の要素を指定するために使用している。
【００１１】
本発明は、有利にも、携帯通信装置に対して晒された（exposed）コンテンツについて関心対象のコンテンツ、関心対象のコンテンツに関するコンテンツデータおよび関心対象のコンテンツに関するロケーション情報の少なくとも１つを格納し、格納された情報をその後でレビュー（reveiw）することを可能にするための方法、機器およびシステムを提供する。本発明は、小売りの広告がされている環境の文脈内で主として述べることにするが、本発明の具体的な実施形態は、本発明の範囲を限定するものとして扱うべきでない。本発明の教示を教授された当業者は、いずれものコンテンツの配布または通信するネットワーク中で、たとえばビデオオンデマンドシステムなどの中で、メディアコンテンツを表示するスクリーンまたはディスプレイを利用して、本発明の概念を実現することができることを認識されることになるはずである。さらに、本発明を、広告用コンテンツ、たとえば製品に関するコマーシャルの文脈内で主に述べることにするが、本発明の教示を教授された当業者は、本発明の様々な実施形態では、本発明の様々な実施形態とともに述べるコンテンツが、サービス広告、メディアコンテンツ、たとえばオンデマンドコンテンツ、クーポン、個人別のオファーなどを含むことができることを認識されるであろう。加えて、本発明は、携帯通信装置にコンテンツを格納する状況内で主に述べることにするが、本発明の教示を教授された当業者は、本発明の様々な実施形態では、本発明の概念は、いずれかのオーディオまたはオーディオ／ビデオ装置上でその後で表示するために、オーディオコンテンツ、オーディオ／ビデオコンテンツデータ、それらコンテンツに関するロケーション情報などをいずれかの通信装置中に格納することに適用することができることを認識されるであろう。
【００１２】
図に示す様々な要素の機能は、専用のハードウェア、ならびに適切なソフトウェアと関連するソフトウェアを実行することが可能なハードウェアを使用して設けることができる。機能は、プロセッサーによって実現されるとき、単一の専用のプロセッサーによって、単一の共有プロセッサーによって、またはそのいくつかを共有することができる複数の個別のプロセッサーによって実現することができる。さらに、用語「プロセッサー」および「コントローラー」を明確に使用したとしても、ソフトウェアを実行することが可能なハードウェアを排他的に言うと解釈すべきでなく、限定せずに、デジタルシグナルプロセッサー（ＤＳＰ）ハードウェア、ソフトウェアを格納するためのリードオンリーメモリー（ＲＯＭ）、ランダムアクセスメモリー（ＲＡＭ）、そして不揮発性記憶装置を暗に含むことができる。さらに、本発明の原理、特徴および実施形態、ならびにその具体的な実施例を本明細書に列挙するすべての文は、本発明の構造上および機能上の同等物の両方を包含することと意図する。加えて、そのような同等物は、現在知られている同等物、ならびに将来開発される同等物（すなわち、構造にかかわらず、同じ機能を果たす、いずれもの開発される要素）の両方を含むことを意図する。
【００１３】
それゆえ、たとえば、当業者には、本明細書に提示するブロック図が、本発明の原理を具体化する、説明に役立つシステムコンポーネントおよび／または回路構成の概念的な視点を表すことを認識されることになろう。同様に、いずれかのフローチャート、フロー図、状態遷移図、疑似コードなどが、実質的にコンピューター可読媒体中で表され、したがってコンピューターまたはプロセッサーによって、そのようなコンピューターまたはプロセッサーが明らかに示されているのかどうかにかかわらず、実行することができる様々なプロセスを表すことを認識されることになるはずである。
【００１４】
本発明の実施形態は、たとえば広告用コンテンツなど、興味のある少なくともコンテンツ、関心対象のコンテンツに関するコンテンツデータおよび関心対象のコンテンツに関するロケーション情報を、たとえば携帯通信装置上に格納し、格納された情報をその後でレビューする、または表示することを可能にするための方法および手段を提供する。すなわち、本発明の様々な実施形態では、ユーザー／買い物客は、たとえばセル方式携帯電話またはタブレットコンピューターなどの携帯通信装置を使用して、後でレビューする／表示するために、売り物に容易にタグを付ける方法および手段が提供される。本発明の様々な実施形態では、関心対象のコンテンツのコンテンツデータは、本明細書に述べるように、製品およびサービス、または関心対象のコンテンツ中に表現された他のオブジェクトに関する情報を含むことができることに留意すべきである。本発明の様々な実施形態では、コンテンツのロケーション情報は、本明細書に述べるように、どこにコンテンツが格納されているのかに関するアドレス情報、たとえばそこでコンテンツにアクセスする、またはそこからコンテンツを読みだすことができる、コンテンツサーバーまたはインターネットのロケーションのアドレス情報を含むことができることにさらに留意すべきである。加えて、本明細書に述べる本発明の様々な実施形態が、コンテンツおよびコンテンツデータを携帯通信装置でその後でレビューする／表示することに関して述べるが、本発明の代替的実施形態では、携帯通信装置上に格納された情報／コンテンツは、携帯通信装置と通信する代替のプレイアウト（playout）装置上でレビューする／表示することができる。
【００１５】
図１は、本発明の実施形態を適用することができるコンテンツ配布システムのハイレベルのブロック図を示す。図１のコンテンツ配布システム１００は、実例として、少なくとも１つのサーバー１１０、複数の受信装置、たとえばチューニングする／デコードする手段（例示としてセットトップボックス（set-top box（STB）））１２０１−１２０ｎ、およびセットトップボックス１２０１−１２０ｎのそれぞれのためのそれぞれのディスプレイ１３０１−１３０ｎを含む。図１は、さらに、携帯通信装置１４０（実例として携帯電話）を示し、それは、ユーザー（たとえば顧客またはサービス技術者）がコンテンツ配布システム１００の至るところで携帯することができ、本発明の概念によって、ユーザーにとって関心対象のコンテンツ、および携帯通信装置が、そのようなユーザーとしてどんなコンテンツに対して晒されているのかを決定するために使用でき、そして後でレビューするためにコンテンツを再現することができる。すなわち、本発明の様々な実施形態によれば、本発明の携帯通信装置は、たとえば、携帯通信装置に接近して表示されるコンテンツにおける関心対象の指示をコンテンツプロバイダーに伝達し、携帯通信装置のアイデンティティーが、コンテンツプロバイダーによって、伝達された関心対象の指示中の情報を使用して決定される。携帯通信装置は、その後、識別された関心対象のコンテンツ、関心対象のコンテンツのコンテンツデータおよび関心対象のコンテンツのロケーション情報の少なくとも１つをコンテンツプロバイダーから受け取る。関心対象のコンテンツ、関心対象のコンテンツのコンテンツデータおよび関心対象のコンテンツのロケーション情報の該少なくとも１つは、そのとき、携帯通信装置中に格納される。
【００１６】
図１のシステム１００では、複数のセットトップボックス１２０１−１２０ｎのそれぞれが、例示的には、単一のそれぞれのディスプレイに接続されているが、本発明の代替的実施形態では、複数のセットトップボックス１２０１−１２０ｎのそれぞれは、単一のディスプレイより多いディスプレイに接続することができる。加えて、図１のコンテンツ配布システム１００では、チューニングする／デコードする手段は、例示的には、セットトップボックス１２０として示されているが、本発明の代替的実施形態では、本発明のチューニングする／デコードする手段は、代わりのチューニングする／デコードする手段、たとえばディスプレイ１３０中に統合されるチューニングする／デコードする回路、または他の独立型のチューニングする／デコードする装置などを含むことができる。またさらに、本発明の受信装置は、オーディオ、ビデオおよび／またはオーディオ／ビデオコンテンツなど、コンテンツを受け取ることが可能ないずれもの装置を含むことができる。
【００１７】
本発明の一実施形態では、図１のコンテンツ配布システム１００は、店内の広告用ネットワークの一部とすることができる。たとえば、図２は、店内で広告するための店内の広告用ネットワーク２００のハイレベルのブロック図を示す。図２の広告用ネットワーク２００では、広告用ネットワーク２００および配布システム１００は、カタログに載せる、配布する、提示する、および音楽レコード、ホームビデオ、製品デモンストレーション、広告用コンテンツおよび他のそのようなコンテンツの使用量を、−下でのエンターテイメントコンテンツ、ニュースおよび同様の消費者情報を含むコンテンツとともに追跡するソフトウェアとハードウェアの組み合わせを用いる。コンテンツは、圧縮または非圧縮のビデオおよびオーディオストリーム形式（たとえばＭＰＥＧ４／ＭＰＥＧ４  Ｐａｒｔ  １０／ＡＶＣ−Ｈ．２６４、ＶＣ−１、Ｗｉｎｄｏｗｓ  Ｍｅｄｉａなど）で提示されるコンテンツを含むことができるが、しかし本システムは、それらの形式のみを使用するものと限定すべきでない。
【００１８】
一実施形態では、店内の広告用ネットワーク２００およびコンテンツ配布システム１００の様々な要素を制御するためのソフトウェアは、ウインドウの環境を使用する３２ビットのオペレーティングシステム（たとえばＭＳ−Ｗｉｎｄｏｗｓ（商標）またはＸ−Ｗｉｎｄｏｗｓオペレーティングシステム）と、高性能計算ハードウェアとを含むことができる。広告用ネットワーク２００は、分散アーキテクチャーを利用することができ、そして集中型のコンテンツ管理および配布制御を、一実施形態では衛星（または他の方法、たとえばワイドエリアネットワーク（ＷＡＮ）、インターネット、一連のマイクロ波リンク、または同様のメカニズム）および店内のモジュールを介して実施する。
【００１９】
図２に示すように、店内の広告用ネットワーク２００およびコンテンツ配布システム１００のためのコンテンツは、広告主２０２、レコード会社２０４、映画スタジオ２０６または他のコンテンツプロバイダー２０８から提供することができる。広告主２０２は、製品製造業者、サービスプロバイダー、製造業者またはサービスプロバイダーを代表する広告会社、または他のエンティティとすることができる。広告主２０２からの広告用コンテンツは、コマーシャル、インフォマーシャル（info-mercial）、製品情報および製品デモンストレーションなどを含むオーディオビジュアルコンテンツから構成することができる。
【００２０】
レコード会社２０４は、レコードレーベル、音楽出版社、ライセンス供与／出版エンティティ（たとえばＢＭＩまたはＡＳＣＡＰ）、個別のアーチスト、または他のそのような音楽関連のコンテンツのソースとすることができる。レコード会社２０４は、オーディオビジュアルコンテンツ、たとえば音楽クリップ（レコーディングされた音楽の短いセグメント）、音楽ビデオクリップなどを提供する。映画スタジオ２０６は、映画スタジオ、映画制作会社、広告担当、または映画産業に関連する他のソースとすることができる。映画スタジオ１０６は、映画クリップ、俳優および女優とのレコーディング前のインタビュー、映画批評記事、「舞台裏」提示および同様のコンテンツを提供することができる。
【００２１】
他のコンテンツプロバイダー２０８は、たとえば図１のコンテンツ配布システム１００を介して配信する、表示することができるビデオ、オーディオまたはオーディオビジュアルコンテンツのいずれもの他のプロバイダーとすることができる。
【００２２】
一実施形態では、コンテンツは、たとえば従来のレコーディングされたメディア（テープ、ＣＤ、ビデオなど）を使用して、ネットワーク管理センター２１０（ＮＭＣ）を介して入手される。ＮＭＣ２１０に提供されるコンテンツは、たとえばローカル配布システム１００に配布するのに適した形に編集され、それは、コンテンツをローカルなロケーションに配布して、そこで表示する。
【００２３】
ＮＭＣ２１０は、受け取ったコンテンツをデジタル化して、それをネットワーク運営センター（ＮＯＣ）２２０にデジタル化されたデータファイル２２２の形で提供する。データファイル２２２は、デジタル化されたコンテンツとして参照されるが、また、ストリーミングオーディオ、ストリーミングビデオ、または他のそのような情報とすることができることに留意されたい。ＮＭＣ２１０によって編集され受け取られたコンテンツは、コマーシャル、バンパー（bumper）、グラフィックス、オーディオなどを含むことができる。すべてのファイルは、好ましくは、一意的に識別できるように名前が付けられる。より具体的には、ＮＭＣ２１０は、特定の場所、たとえば店のロケーションを目標とし、定期的に、または要求に応じて１または複数の店に配達される配布パックを生成する。配布パックは、使用される場合、既に現場に存在する既存のコンテンツと交換する、またはそれを向上させる意図があるコンテンツを収納する（その場のシステムが、初めに初期化されない限り、その場合、配達されたパッケージが、その場の最初のコンテンツのベースを形成することになる）。あるいは、ファイルは、圧縮して別に転送することができる、または或るタイプのストリーミング圧縮プログラムを用いることができる。
【００２４】
ＮＯＣ２２０は、デジタル化されたデータファイル２２２を、この例では、通信ネットワーク２２５を介して市販アウトレット２３０におけるコンテンツ配布システム１００に伝達する。通信ネットワーク２２５は、いくつかの技術のいずれか１つで実現することができる。たとえば、一実施形態では、デジタル化されたデータファイル２２２を市販アウトレット２３０のコンテンツ配布システム１００に配布するために、衛星リンクを使用することができる。これは、コンテンツを様々なロケーションに同時に送信する（またはマルチキャストする）ことによって、コンテンツを容易に配布することを可能にする。あるいは、オーディオビジュアルコンテンツを市販アウトレット２３０に配布し、そこからのフィードバックを可能にする、その両方にインターネットを使用することができる。本発明の代替的実施形態によれば、たとえば専用回線、マイクロ波ネットワークまたは他のそのようなメカニズムを使用する、通信ネットワーク２２５を実現する他の方法をまた使用することができる。
【００２５】
コンテンツ配布システム１００のサーバー１１０は、コンテンツ（たとえば配布パック）を受け取ることが可能であり、それによってそれらを店内で様々な受信者、たとえばセットトップボックス１２０およびディスプレイ１３０に配布する。つまり、コンテンツ配布システム１００において、コンテンツは、受け取られてストリーミングするように構成される。ストリーミングは、１または複数のサーバーによって実施して、一緒に、または協力して動作するように構成することができる。ストリーミングコンテンツは、販売アウトレット２３０（たとえば店）の至るところの様々な異なるロケーションまたは製品に関して構成されるコンテンツを含むことができる。たとえば、それぞれのセットトップボックス１２０およびディスプレイ１３０は、販売アウトレット２３０の至るところで特定のロケーションに配置することができ、そして各それぞれのセットトップボックスおよびディスプレイの場所から所定の距離内に配置される製品に関連するコンテンツを表示し、オーディオを放送するように、それぞれ構成される。
【００２６】
コンテンツ配布システム１００のサーバー１１０は、コンテンツを受け取り、店の至るところで様々な受信者に伝達されるオーディオ、ビデオおよび／またはオーディオ／ビデオの様々な異なるストリーム（たとえばコンテンツチャネル）を生成する。それらストリームは、無線周波分布で変調されるオーディオ、ビデオおよび／またはオーディオ／ビデオの個別のチャネルとすることができる、またはユニキャストまたはマルチキャストのインターネットプロトコル（ＩＰ）ネットワーク内のデータフローとして送信することができる。これらのストリームは、制御ソフトウェアの同じロジカルセットの下における１または複数のサーバーを起源とすることができる。
【００２７】
上記に述べたように、本発明の様々な実施形態は、後でレビューするために、携帯通信装置のユーザーが、携帯通信装置上の広告または他のメディアコンテンツの少なくともコンテンツ、コンテンツデータおよびロケーション情報を「セーブ（save）」するための方法および手段を提供する。また上記に述べたように、本発明の一実施形態では、ユーザーによって走査されたＱＲコード（登録商標）がサーバーのＵＲＬに伝達される。本発明の様々な実施形態では、そのようなサーバーは、店内の広告用ネットワーク２００のコンテンツ配布システム１００またはＮＭＣ２１０またはＮＯＣ２２０のサーバー１１０を含むことができる。サーバーは、ユーザーを識別し（すなわちクッキーまたはジャバスクリプトを通じて）、そしてそのとき製品のＵＲＬをユーザーの携帯通信装置に伝達し、たとえば一実施形態では、携帯通信装置の個人情報キャッシュに格納する。本発明の代替的実施形態では、コンテンツにおける関心対象の指示は、たとえば上記に述べたようにＱＲコードを走査することによって、コンテンツを携帯通信装置に提供することが可能ないずれもの装置への通信とすることができることに留意すべきである。
【００２８】
より具体的には、本発明の一実施形態では、それぞれのクイックレスポンス（ＱＲ）コードは、広告用コンテンツと同時に広告用スクリーン上に表示される。ユーザーは、コンテンツに興味がある場合、そのとき、携帯通信装置を使用してＱＲコードを走査することができる。そのような実施形態では、ユーザーの携帯通信装置は、ＱＲコードを読む走査ソフトウェアを含まなければならない。携帯通信装置によって走査されたＱＲコードは、この実施形態では、コンテンツプロバイダー、この実施形態ではサーバー（すなわち図１および図２に示し、以下で述べるコンテンツ配布システムのサーバーまたは広告用ネットワークのサーバー）のユニフォームリソースロケータ（ＵＲＬ）に伝達される。サーバーは、ユーザー／携帯通信装置（すなわちクッキーまたはジャバスクリプトを通じて）、および、一実施形態では携帯通信装置のブラウザー上にページを表示することによって、携帯通信装置と通信するために使用される情報を識別する。本発明の一実施形態では、携帯通信装置は、携帯通信装置によってサーバーに伝達されたＱＲコードによって識別されたコンテンツに関する関心対象のコンテンツ、関心対象のコンテンツのコンテンツデータまたは関心対象のコンテンツのロケーション情報の少なくとも１つをサーバーから受け取る。サーバーから受け取ったコンテンツおよび／または関連するコンテンツ情報は、そのとき、携帯通信装置中に格納される。たとえば、一実施形態では、本発明の携帯通信装置は、ユーザーがそれに対して興味を示したコンテンツ、たとえば広告用コンテンツをサーバーから受け取り、携帯通信装置中に格納する。本発明の代替的実施形態では、本発明の携帯通信装置は、コンテンツデータ、たとえばコンテンツ中に提示された製品に関する製品情報などをサーバーから受け取り、携帯通信装置中に格納する。また本発明の代替的実施形態では、本発明の携帯通信装置は、関心対象のコンテンツのＵＲＬをサーバーから受け取り、たとえば携帯通信装置の個人情報キャッシュ中に格納する。
【００２９】
次いで、携帯通信装置のユーザーは、その後で携帯通信装置中に格納された情報を再現して、格納された関心対象のコンテンツをレビューする、関心対象のコンテンツのコンテンツデータ（たとえば製品情報）をレビューする、および／または関心対象のコンテンツを代わりの場所に、たとえばインターネットのサイトに配置することができる。本発明の様々な実施形態によれば、携帯通信装置中に格納された情報は、携帯通信装置のオーディオ装置またはビデオ装置（たとえばスクリーン）上でレビューすることができる、および／またはコンテンツ配布環境下であろうとなかろうと、または代わりのパーソナルオーディオ装置またはビデオ装置に、または代わりの場所中の代わりのパーソナルオーディオ装置またはビデオ装置に伝達して、その後でレビューすることができる。上記に述べた本発明の本実施形態では、サーバー／コンテンツプロバイダーが、受け取ったコンテンツにおける関心対象の指示から携帯通信装置の通信情報を決定するが、本発明の代替的実施形態では、コンテンツ、コンテンツデータおよびコンテンツロケーション情報の少なくとも１つを携帯通信装置に伝達することが可能ないずれもの装置は、関心対象の指示の通信中の情報を使用して、携帯通信装置に関する通信パラメータを決定することができることに留意すべきである。たとえば、本発明の一実施形態では、携帯通信装置は、コンテンツにおける関心対象の指示をコンテンツプロバイダーに伝達することができ、それに応答して、コンテンツプロバイダーは、関心対象のコンテンツをセットトップボックスに伝達することができ、それは、そのとき、携帯通信装置を対象とするそのようなコンテンツを携帯通信装置に転送することができる。そのような実施形態では、携帯通信装置と通信するための通信パラメータを決定するのは、コンテンツソースではなく、セットトップボックスとすることができる。
【００３０】
本発明の代替的実施形態では、広告用スクリーンは、近距離無線通信（ＮＦＣ）パッドを含む。そのような実施形態では、ユーザーは、ＮＦＣ対応携帯通信装置をＮＦＣパッドにタッピングし、特定の広告用コンテンツ／製品に興味のあることを示す。ユーザーの携帯通信装置のＮＦＣ能力および機能性は、ＮＦＣパッドと通信するサーバーが使用して、携帯通信装置および携帯通信装置と通信するために使用される情報を識別する。そのとき、携帯通信装置は、携帯通信装置の決定された通信情報を使用して、関心対象のコンテンツ、関心対象のコンテンツのコンテンツデータおよび関心対象のコンテンツのロケーション情報の少なくとも１つをサーバーから受け取り、携帯通信装置中に格納する。たとえば、本発明の一実施形態では、携帯通信装置は、サーバーから受け取ったコンテンツの製品ＵＲＬを、たとえば一実施形態では携帯通信装置中のキャッシュ中に格納する。本発明の代替的実施形態では、携帯通信装置は、サーバーから受け取った関心対象のコンテンツを携帯通信装置のメモリー中に格納する。
【００３１】
また本発明の代替的実施形態では、ユーザーの携帯通信装置は、それが小売りの広告環境の至るところに移動するとき、およびそれが広告用スクリーンの近接中に入るまたはそこから移動するときに追跡される（すなわちアドレス検出またはＥＳＮ検出など、他の知られたモバイル装置の検出手段を使用して）。つまり、本発明の一実施形態では、ユーザーは、広告環境内で携帯通信装置のメディアアクセス制御（ＭＡＣ）アドレスを設けることを選ぶことができ、それによって携帯通信装置との通信を確立することができ、かつユーザーの携帯通信装置を、それが店の至るところに移動するとき、およびそれが広告用スクリーンの近接中に入るまたはそこから移動したときに追跡することができ、したがって、広告環境下に在る間、どのコンテンツにユーザーおよびユーザーの携帯通信装置が晒されていたのかを追跡することができるようになる。
【００３２】
なお、さらに、サーバーは、サーバー（たとえばサーバー１１０、ＮＭＣ２１０またはＮＯＣ２２０）が知っている情報、たとえばプレイリスト情報、店内の広告用スクリーンの場所およびユーザーの場所を使用して、ユーザーに提示された、およびユーザーの携帯通信装置に対して晒された広告用コンテンツのすべての追跡、およびどの場所において、広告用コンテンツの特定のセグメントがユーザーおよびユーザーの携帯通信装置に提示されたのかの追跡を維持することができる。
【００３３】
本発明の実施形態では、そのような情報は、ユーザーの携帯通信装置に収集された情報を使用して、何のコンテンツがユーザーに提示されたのかを識別するのに役立つように補足される。たとえば、本発明の一実施形態では、ユーザーは、携帯通信装置のマイクロフォンによって「聞いた」オーディオをレコーディングし、レコーディングされたオーディオを、ユーザーが居たことが知られている領域で再生されていると予想される知られた広告と音響的にマッチさせる、ユーザーの携帯通信装置上で実行される適切なアプリケーションを持つように促される。
【００３４】
本発明の代替的実施形態では、ユーザーは、ユーザーの携帯通信装置のカメラまたはビデオカメラの能力を使用して、ユーザーに近接した広告用スクリーンを撮影し、それによってユーザーに近接して提示されている広告用コンテンツを識別するように促される。
【００３５】
本発明の代替的実施形態では、ネットワーク「ビーコン（beacon）」を使用して、ユーザーの携帯通信装置に対して、何の広告用コンテンツが、どのスクリーンの場所で再生されているのかを識別する。携帯通信装置は、本発明のサーバーに、それが何に対して晒されていたと確認したのかを、ビーコンを使用して通知する。
【００３６】
本発明の様々な実施形態では、本明細書に述べたものなど、本発明のサーバーによって収集された情報は、ユーザーの携帯通信装置およびユーザーが晒されたのはどんな広告用コンテンツ／製品かのリストを作成するために使用される。そのようなリストは、ユーザーの携帯通信装置に伝達されて、ユーザーが、晒された広告用コンテンツ／製品のリストを参照することを可能にし、それによってユーザーは、どのコンテンツを格納するのか、またはどの広告用コンテンツ／製品に関して情報、たとえば製品ＵＲＬを格納するのか迅速に選択することができ、たとえば一実施形態では、携帯通信装置の個人情報キャッシュ中に格納する。
【００３７】
ここで、本発明の上記に述べた実施形態を理解するのに役に立つように、例を述べることにする。たとえば、消費者が、製品、たとえばミルクを購入するために小売店を通って歩いている。ミルクを取るために店の奥へ行く途中で、消費者および消費者の携帯通信装置がスクリーンに表示されている広告用コンテンツに対して晒され、その広告用コンテンツは、新しいビデオゲームの説明を対象としている。消費者は、ミルクを取り、レジ待ちの行列に並びながら、消費者および消費者の携帯通信装置が晒されたコンテンツのリストを参照する。そのリストは、上記に述べたように消費者の携帯通信装置が利用できるようになされている。
【００３８】
本発明の一実施形態では、リストは、消費者の携帯通信装置上で、ドロップダウンメニューの形で消費者に提示される。消費者は、ドロップダウンメニューを使用して、携帯通信装置上で、消費者および消費者の携帯通信装置が、消費者の店に居る間に晒された広告用コンテンツ／製品のリストを見ることができる。一実施形態では、広告用コンテンツ／製品のリストは、消費者がそのコンテンツに対して晒された順に構成することができる。消費者は、そのリストを使用して、消費者がスクリーン上に広告されているのを見たビデオゲームに関する広告用コンテンツを見ることができる。
【００３９】
本発明の一実施形態では、そのとき、消費者は、その製品またはその製品に関する広告コンテンツをセーブすることを、消費者の携帯通信装置のスクリーン上をタッピングすることによって選ぶことができ、それによってそのような情報を携帯通信装置の個人キュー中にセーブして、後でセーブされたデータを後でレビューすることができる。
【００４０】
図４は、本発明の実施形態による、本明細書に述べた本発明の様々な述べた特徴を実施することが可能な携帯通信装置１４０のハイレベルのブロック図を示す。より具体的には、図４の携帯通信装置は、実例としては、プロセッサー４１０、ならびにまた制御プログラム、ファイル情報、格納されるメディアなどを格納するためのメモリー４２０を含む。プロセッサー４１０は、従来のサポート回路構成４３０、たとえば電源、クロック回路、キャッシュメモリーなど、ならびにまたメモリー４２０中に格納されるソフトウェアルーチンを実行するのに役に立つ回路と協力する。そのように、ソフトウェアプロセスとして本明細書に議論したプロセスステップのいくつかが、ハードウェア内で、たとえばプロセッサー４１０と協力して様々なステップを実施する回路構成として実現することができると企図される。図４の携帯通信装置は、また、図４の携帯通信装置と通信する様々な機能要素の間でインターフェースを形成する入力−出力回路構成４４０を含む。図４の携帯通信装置の入力−出力回路構成は、携帯通信装置との通信に必要ないずれかのアンテナおよび携帯通信回路構成を含むと見なすべきである。図４の携帯通信装置は、少なくともコンテンツおよびデータを表示するためにディスプレイ４５０をさらに含む。
【００４１】
図３は、本発明の実施形態による、その後でレビューするために、関心対象のコンテンツの再現を可能にするための方法のフローチャートを示す。本明細書に述べるプロセスステップは、プロセッサーによって実行されるソフトウェア、ハードウェアまたはその組み合わせによって同等に実施されるものとして広く解釈するものと意図する。方法３００は、ステップ３０２で開始され、その間、携帯通信装置を使用して、たとえばサーバーなどのコンテンツプロバイダーに、ユーザー／消費者が、携帯通信装置に近接して提示されている特定のコンテンツに、たとえば製品のための広告用コンテンツにおける関心対象の指示が伝達される。たとえば、本発明の一実施形態では、ユーザーは、コンテンツに興味がある場合、ユーザーの携帯通信装置を使用して、ＱＲコードを走査することができ、それは、ディスプレイのスクリーン上にコンテンツと同時に表示される。ユーザーによって走査されたＱＲコードは、ユーザーが提示されているコンテンツに興味があるということを示すために、コンテンツサーバーなどのサーバーに伝達される。本発明の代替的実施形態では、広告用スクリーンは、近距離無線通信（ＮＦＣ）パッドを含み、ユーザーは、そのＮＦＣ対応携帯通信装置をＮＦＣパッドにタッピングして、提示されているコンテンツに興味があることを、たとえばコンテンツサーバーに示す。また本発明の代替的実施形態では、ユーザーは、関心対象の指示として、広告環境内でユーザーの携帯通信装置を追跡する手段を本発明のサーバーに提供し、それによってそのサーバーは、消費者および消費者の携帯通信装置が、たとえば消費者の広告環境中に居る間に晒されるコンテンツの追跡を維持する。携帯通信装置によってサーバーに伝達された関心対象の指示は、そのとき、携帯通信装置を識別して携帯通信装置との通信を確立するために、サーバーによって使用される。方法３００は、次いでステップ３０４に進む。
【００４２】
ステップ３０４では、関心対象のコンテンツ、関心対象のコンテンツのコンテンツデータおよび関心対象のコンテンツのロケーション情報の少なくとも１つが、携帯通信装置によって受け取られる。すなわち、本発明の一実施形態では、携帯通信装置によって伝達された特定のコンテンツにおける関心対象の指示を受け取ったサーバーは、関心対象の指示中で識別された関心対象のコンテンツ、関心対象のコンテンツのコンテンツデータおよび関心対象のコンテンツのロケーション情報の少なくとも１つを伝達し、携帯通信装置が受け取る。方法３００は、次いでステップ３０６に進む。
【００４３】
ステップ３０６では、サーバーから受け取った情報は、携帯通信装置中に格納される。すなわち、受け取った、識別された関心対象のコンテンツ、関心対象のコンテンツのコンテンツデータおよび関心対象のコンテンツのロケーション情報の該少なくとも１つは、携帯通信装置のメモリー中に格納される。たとえば、本発明の一実施形態では、受け取ったユーザーが興味を示したコンテンツ、たとえば広告用コンテンツは、携帯通信装置のメモリー中に格納される。本発明の代替的実施形態では、受け取ったコンテンツデータ、たとえばコンテンツ中に提示された製品に関する製品情報などは、携帯通信装置のメモリー中に格納される。また本発明の代替的実施形態では、サーバーから受け取った関心対象のコンテンツのＵＲＬは、たとえば携帯通信装置の個人情報キャッシュ中に格納される。
【００４４】
本発明の代替的実施形態では、ユーザーの携帯通信装置およびユーザーが晒されたのはどんな広告用コンテンツ／製品かのリストは、サーバーから受け取られて携帯通信装置中に格納され、それによってユーザーは、ユーザーおよび携帯通信装置が晒された広告用コンテンツ／製品のリストを後で参照することができる。すなわち、ユーザーは、どの広告用コンテンツ／製品に関して情報を求めるのかを選択することができ、それによって本発明のサーバーは、識別された関心対象のコンテンツ、関心対象のコンテンツのコンテンツデータおよび関心対象のコンテンツのロケーション情報の少なくとも１つを伝達することができて、携帯通信装置のメモリー中に格納する。方法３００は、それで終了することができる。
【００４５】
あるいは、図３に示す本発明の実施形態の方法３００は、オーディオおよび／またはビデオ装置を使用して、格納された関心対象のコンテンツ、関心対象のコンテンツのコンテンツデータおよび関心対象のコンテンツのロケーション情報の少なくとも１つをレビューするステップを含むステップ３０８を任意選択でさらに含むことができる。そのような実施形態では、オーディオおよび／またはビデオ装置は、関心対象のコンテンツ、関心対象のコンテンツのコンテンツデータおよび関心対象のコンテンツのロケーションに関する情報の少なくとも１つが格納される携帯通信装置とすることができる。
【００４６】
携帯通信装置上でその後でレビューするために、関心対象のコンテンツの再現を可能にするための方法、機器およびシステムについて様々な実施形態（それは、例示的であることを意図し、限定するように意図していない）を述べてきたが、当業者は、上記の教示を踏まえて修正および変更を行うことができることに留意されたい。したがって、開示した本発明の具体的な実施形態において、本発明の範囲および趣旨内に含まれる変更を行うことができることを理解すべきである。前述事項が本発明の様々な実施形態に向けられているが、本発明の他のおよびさらなる実施形態は、その基本的な範囲から逸脱せずに考案することができる。
【図１】
2015505176.tif 000003
【図２】
2015505176.tif 000004
【図３】
2015505176.tif 000005
【図４】
2015505176.tif 000006
【国際調査報告】
2015505176.tif 000007
2015505176.tif 000008
2015505176.tif 000009